(57)【要約】【課題】  作業場での作業員の安全性を高めた工事用装備、備品管理システムを提供する。【解決手段】  作業員が作業場に持ち込む装備、備品に非接触ＩＤタグ１を取り付ける。また、作業員が作業場へ入場するために必要な装備、備品と、この装備、備品に付けられた非接触ＩＤタグのＩＤ番号とを関連づけして管理情報登録装置１０に登録する。そして、作業員が作業場に持ち込む装備、備品に取り付けられた非接触ＩＤタグのＩＤ番号を入退場検出用スキャナ３０により取り出し、取り出したＩＤ番号と管理情報登録装置１０に登録した装備、備品のＩＤ番号とを比較する。これらのＩＤ番号が一致しなかった場合には、作業員の作業場への入退場を拒否する。【選択図】        図１
2005078222.tif 000002
【特許請求の範囲】
【請求項１】
物品に取り付けられた非接触ＩＤタグと、
入退場管理箇所の通過条件として登録された物品と、該物品を認識するための認証番号とを関連づけて登録した物品管理テーブルを有する管理情報登録装置と、
前記入退場箇所に取り付けられ、前記物品に取り付けられた非接触ＩＤタグと無線通信を行い、該非接触ＩＤタグのＩＤ番号を検出する無線通信手段と、前記無線通信手段により得られたＩＤ番号と、前記物品管理テーブルに登録した認証番号とを比較する制御手段と、を有する入退場管理装置と、
を有することを特徴とする通過管理システム。
【請求項２】
前記入退場管理装置は、作業員の携帯する非接触ＩＤタグのＩＤ番号と、入場時に前記作業員の備えていた物品の非接触ＩＤタグのＩＤ番号とを関連づけて登録した入場時ＩＤ番号登録テーブルを有し、
前記作業員の退場時に、前記無線通信手段により得られた物品のＩＤ番号と、前記入場時ＩＤ番号登録テーブルに登録した入場時の物品のＩＤ番号とを前記制御手段で比較することを特徴とする請求項１記載の通過管理システム。
【請求項３】
前記管理情報登録装置は、作業員の携帯する非接触ＩＤタグのＩＤ番号と、各作業員に割り当てられた物品に付けられた非接触ＩＤタグのＩＤ番号とを関連づけして登録した個人物品管理テーブルを有し、
前記入退場管理装置は、作業員の備える物品に付けられた非接触ＩＤタグのＩＤ番号を前記無線通信手段により検出し、該検出したＩＤ番号と前記個人物品管理テーブルに登録した前記作業員の物品の非接触ＩＤタグのＩＤ番号とを前記制御手段で比較することを特徴とする請求項１記載の通過管理システム。
【請求項４】
前記管理情報登録装置は、物品の保守期限情報を、該物品に付けられた非接触ＩＤタグのＩＤ番号に関連づけて登録した保守期限管理テーブルを有し、
前記入退場管理装置の前記制御手段は、前記無線通信手段により得られたＩＤ番号の物品の保守期限を、前記保守期限管理テーブルを参照して判定することを特徴とする請求項１記載の通過管理システム。
【請求項５】
前記管理情報登録装置は、作業員の携帯する非接触ＩＤタグのＩＤ番号と、該作業員の職種情報と、作業内容に応じて必要となる物品を職種毎に登録した職種別物品パターン情報と、該物品を認識するための認証番号とを登録した物品パターン管理テーブルを有し、
前記入退場管理装置の前記制御手段は、作業員の職種に設定された物品パターンの物品を該作業員が備えているか否かを、前記物品パターン管理テーブルを参照して判定することを特徴とする請求項１記載の通過管理システム。
【請求項６】
前記入退場管理装置は、作業員の前記入退場管理箇所の通過を制限する通過制限手段を有することを特徴とする請求項１から５のいずれか１項に記載の通過管理システム。
【請求項７】
請求項１から６のいずれか１項に記載の通過管理システムと、
作業員の個人情報を記録したＩＣカードを管理するＩＣカード管理装置と、
前記ＩＣカード管理装置から読み出され、作業員の非接触ＩＤタグに書き込まれた前記個人情報を読み出す作業用機器制御装置と、を有し、
前記管理情報登録装置は、前記ＩＣカードに記録された作業員の個人情報を前記ＩＣカード管理装置から取得して、該当作業員の非接触ＩＤタグに書き込み、
前記作業用機器制御装置は、管理する作業機器の免許情報を前記作業員の非接触ＩＤタグから読み出すと、前記管理する作業機器のキーロック状態を解除する制御を行うことを特徴とする安全管理システム。
【請求項８】
前記作業用機器制御装置は、前記作業機器の免許が有効である場合に前記管理する作業機器のキーロック状態を解除する制御を行うことを特徴とする請求項７記載の安全管理システム。
【請求項９】
前記管理情報登録装置は、前記入退場管理装置で発生した処理の記録を前記ＩＣカード管理装置に転送し、
前記ＩＣカード管理装置は、転送された処理の記録を登録して管理することを特徴とする請求項７記載の安全管理システム。
【請求項１０】
入退場管理箇所の通過条件として登録された物品と、該物品を認識するための認証番号とを関連づけして登録する物品管理工程と、
前記入退場箇所に取り付けられ、前記物品に取り付けられた非接触ＩＤタグと無線通信を行い、該非接触ＩＤタグのＩＤ番号を検出するＩＤ番号検出工程と、
前記ＩＤ番号検出工程により得られたＩＤ番号と、前記物品管理工程により登録した認証番号とを比較する第１の比較工程と、
を有することを特徴とする通過管理方法。
【請求項１１】
作業員の携帯する非接触ＩＤタグのＩＤ番号と、入場時に前記作業員の備えていた物品の非接触ＩＤタグのＩＤ番号とを関連づけて登録する入場時ＩＤ番号登録工程と、
前記作業員の退場時に、前記ＩＤ番号検出工程により得られた物品のＩＤ番号と、前記入場時ＩＤ番号登録工程により登録した入場時の物品のＩＤ番号とを比較する第２の比較工程と、
を有することを特徴とする請求項１０記載の通過管理方法。
【請求項１２】
作業員の携帯する非接触ＩＤタグのＩＤ番号と、各作業員に割り当てられた物品に付けられた非接触ＩＤタグのＩＤ番号とを関連づけして登録する個人物品管理工程と、
前記ＩＤ番号検出工程により検出した、作業員の備える物品に付けられた非接触ＩＤタグのＩＤ番号と、前記個人物品管理工程にて登録した前記作業員の物品の非接触ＩＤタグのＩＤ番号とを比較する第３の比較工程と、
を有することを特徴とする請求項１０記載の通過管理方法。
【請求項１３】
物品の保守期限情報を、該物品に付けられた非接触ＩＤタグのＩＤ番号に関連づけて登録する保守期限管理工程と、
前記ＩＤ番号検出工程により得られたＩＤ番号の物品の保守期限を、前記保守期限管理工程により登録した保守期限情報を参照して判定する第１の判定工程と、
を有することを特徴とする請求項１０記載の通過管理方法。
【請求項１４】
作業員の携帯する非接触ＩＤタグのＩＤ番号と、該作業員の職種情報と、作業内容に応じて必要となる物品を職種毎に登録した職種別物品パターン情報と、該物品を認識するための認証番号とを登録する物品パターン管理工程と、
作業員の職種に設定された物品パターンの物品を該作業員が備えているか否かを、前記物品パターン管理工程にて登録した職種別物品パターン情報を参照して判定する第２の判定工程と、
を有することを特徴とする請求項１０記載の通過管理方法。
【請求項１５】
作業員の前記入退場管理箇所の通過を制限する通過制限工程を有することを特徴とする請求項１０から１４のいずれか１項に記載の通過管理方法。
【発明の詳細な説明】
【技術分野】
【０００１】
本発明は、非接触型のＩＤタグを用いて、作業員の工事現場への入退場を管理する通過管理システム、安全管理システム、および通過管理方法に関する。
【背景技術】
【０００２】
近年、土木工事や建設工事に従事する作業員の健康診断情報、資格、免許情報、現場への入退場履歴などの情報を記録媒体に書き込み管理する技術が導入され始めている。
【０００３】
例えば、以下に示す特許文献１に開示された発明では、非接触型のＩＤタグを用いて、アンテナから所定の距離のエリア内を通過する人間のＩＤタグ、または移動機械に付けられたＩＤタグを認識し、作業現場への人間の入退場の管理、移動機械の位置管理、作業機械の作動状態を自動的に切り替えるなどの管理を行っている。
【０００４】
【特許文献１】特開平６−２９９７９９号公報
【発明の開示】
【発明が解決しようとする課題】
【０００５】
しかしながら、上述した特許文献１では、人間の入退場、移動機械の位置管理、作業機械の作動状態を切り替えるなどの管理については開示されているが、作業員が身に付ける装備や、携行する備品に関する管理をいかに有効に行うかについては一切記載されていない。
【０００６】
例えば、安全靴、安全帯などの標準的な作業に関する装備がなされているか否かの管理は職長による目視での確認でしか行われていない。また、塗装工事などの通常とは異なる工事を行う日には、防護マスクやメガネなどの保護具が通常の作業日と比較して必要となるが、作業員がこれらの保護具を装備しているか否かを確認するのも職長による目視による確認で行われていた。
【０００７】
また、休憩時間に付けていた装備を外した時に、他人の装備と間違ってしまっても、自身で間違えに気がつくしかなかった。当然のことながら他人用に調整された装備や備品は、十分な安全性を確保することができない。さらに、作業場へ持ち込んだ装備、備品を過不足なく持ち帰ったか否を管理するのも自身で管理するか、雇用主が後で確認するしかなかった。
【０００８】
また、点検が必要な装備、備品について、保守期限日の管理は、個人または雇用主によって行われ、複数の建設会社を下請けに使用する建設会社では一括して管理することができないという問題がある。
【０００９】
また、作業現場での注意事項を作業員に教習する講習会を開いている場合があるが、作業員が講習を受けたか否かの判断は、ヘルメットに付けた受講シールなどによって判断される。しかし複数の現場を掛け持ちする作業員の場合、複数の受講シールを貼り付けることになり、目視での判断が難しくなる。
【００１０】
また、特許文献１に開示された発明では、アンテナから所定の距離のエリア内のＩＤタグを検出しているため、同じエリア内に有資格者がいれば、作業機器のインターロックは解除され、無資格者でも操作が可能となる。また、有資格者であることを示す情報をＩＤタグに書き込んでいるが、誤った書き込みが行われると、無資格者であっても機器の操作が可能となってしまう。
【００１１】
本発明は上記事情に鑑みてなされたものであり、作業場に作業員によって持ち込まれる物品を管理し、作業場での作業員の安全性を高めた通過管理システム、通過管理方法を提供することを目的とする。
【００１２】
また、既存のＩＣカード管理装置と連携することで、作業員に関する情報の設定を容易に行うことができる安全管理システムを提供することを目的とする。
【課題を解決するための手段】
【００１３】
かかる目的を達成するために請求項１記載の通過管理システムは、物品に取り付けられた非接触ＩＤタグと、入退場管理箇所の通過条件として登録された物品と、該物品を認識するための認証番号とを関連づけて登録した物品管理テーブルを有する管理情報登録装置と、前記入退場箇所に取り付けられ、前記物品に取り付けられた非接触ＩＤタグと無線通信を行い、該非接触ＩＤタグのＩＤ番号を検出する無線通信手段と、前記無線通信手段により得られたＩＤ番号と、前記物品管理テーブルに登録した認証番号とを比較する制御手段と、を有する入退場管理装置と、を有することを特徴としている。
【００１４】
請求項１記載の通過管理システムは、作業員が入退場管理箇所を通過するために必要な物品の認識番号を登録しておき、作業員が入退場管理箇所を通過する際にこの必要な物品を備えているか否かを確認する。作業員が必要な物品を備えていなかった場合には、警告して作業員の注意を促すことにより、安全確保に必要不可欠な物品を作業員に必ず持たせることができる。また、退場の際には、作業現場に不必要なもの、高価なものを放置することがなくなる。
【００１５】
請求項２記載の通過管理システムは、請求項１記載の通過管理システムにおいて、前記入退場管理装置は、作業員の携帯する非接触ＩＤタグのＩＤ番号と、入場時に前記作業員の備えていた物品の非接触ＩＤタグのＩＤ番号とを関連づけて登録した入場時ＩＤ番号登録テーブルを有し、前記作業員の退場時に、前記無線通信手段により得られた物品のＩＤ番号と、前記入場時ＩＤ番号登録テーブルに登録した入場時の物品のＩＤ番号とを前記制御手段で比較することを特徴としている。
【００１６】
請求項２記載の通過管理システムは、入場時に作業員の備えていた物品の非接触ＩＤタグのＩＤ番号と、退場時に作業員の備えている物品の非接触ＩＤタグのＩＤ番号とが一致しないかぎり、作業員の作業場からの退場を拒否する。従って、作業現場に不必要なもの、高価なものを放置することがなくなる。また、作業場内での休憩中に誤って他人の物品、例えば、装備や備品を身に付けてしまった場合に、退場時に物品のチェックを受けることで他人の物品であることに気がつくことができる。他人用に調整された装備や備品は、十分な安全性を確保することができないが、退場の際にチェックされることで、他人の物品との取り違いをなくし、作業員の安全性を確保することができる。
【００１７】
請求項３記載の通過管理システムは、請求項１記載の通過管理システムにおいて、前記管理情報登録装置は、作業員の携帯する非接触ＩＤタグのＩＤ番号と、各作業員に割り当てられた物品に付けられた非接触ＩＤタグのＩＤ番号とを関連づけして登録した個人物品管理テーブルを有し、前記入退場管理装置は、作業員の備える物品に付けられた非接触ＩＤタグのＩＤ番号を前記無線通信手段により検出し、該検出したＩＤ番号と前記個人物品管理テーブルに登録した前記作業員の物品の非接触ＩＤタグのＩＤ番号とを前記制御手段で比較することを特徴としている。
【００１８】
請求項３記載の通過管理システムは、作業員に割り当てた物品の非接触ＩＤタグのＩＤ番号を個人物品管理テーブルに登録し、入退場時に作業員の備えている物品が、この作業員のものであるか否かを判定している。従って、作業場への入退場時に物品が自身のものであるか否かを確認することができる。他人用に調整された装備や備品は、十分な安全性を確保することができないが、入退場の際にチェックされることで、他人の物品との取り違いをなくし、作業員の安全性を確保することができる。
【００１９】
請求項４記載の通過管理システムは、請求項１記載の通過管理システムにおいて、前記管理情報登録装置は、物品の保守期限情報を、該物品に付けられた非接触ＩＤタグのＩＤ番号に関連づけて登録した保守期限管理テーブルを有し、前記入退場管理装置の前記制御手段は、前記無線通信手段により得られたＩＤ番号の物品の保守期限を、前記保守期限管理テーブルを参照して判定することを特徴としている。
【００２０】
請求項４記載の通過管理システムは、物品の保守期限情報を期限管理テーブルに登録し、作業場への入退場時に、作業員の備える物品の保守期限を管理している。保守期限の切れた装備や備品の使用は、作業員に危険がおよぶ可能性があるが、入退場時に、保守、メンテナンスがなされた装備、備品であるか否かを確認することで作業員の安全性を高めることができる。
【００２１】
請求項５記載の通過管理システムは、請求項１記載の通過管理システムにおいて、前記管理情報登録装置は、作業員の携帯する非接触ＩＤタグのＩＤ番号と、該作業員の職種情報と、作業内容に応じて必要となる物品を職種毎に登録した職種別物品パターン情報と、該物品を認識するための認証番号とを登録した物品パターン管理テーブルを有し、前記入退場管理装置の前記制御手段は、作業員の職種に設定された物品パターンの物品を該作業員が備えているか否かを、前記物品パターン管理テーブルを参照して判定することを特徴としている。
【００２２】
一日の作業内容に応じて作業員が携行しなければならない装備、備品も変わる。このため、請求項５記載の発明では、その日の作業内容に応じて作業員に必要な物品のパターンを作業員の職種別に登録しておき、この登録されたパターンに合致する物品を作業員が備えているか否かを確認する。従って、作業形態に合わせた物品を作業員に備えさせることができ、作業員の安全性を高めることができる。
【００２３】
請求項６記載の通過管理システムは、請求項１から５のいずれか１項に記載の通過管理システムにおいて、前記入退場管理装置は、作業員の前記入退場管理箇所の通過を制限する通過制限手段を有することを特徴としている。
【００２４】
請求項６記載の通過管理システムは、作業員の入退場管理箇所の通過を制限する通過制限手段を設けている。作業員の安全確保のために必要な物品を備えていなかった場合に、この通過制限手段で入退場管理箇所の通過を制限させることができる。
【００２５】
請求項７記載の安全管理システムは、請求項１から６のいずれか１項に記載の通過管理システムと、作業員の個人情報を記録したＩＣカードを管理するＩＣカード管理装置と、前記ＩＣカード管理装置から読み出され、作業員の非接触ＩＤタグに書き込まれた前記個人情報を読み出す作業用機器制御装置と、を有し、前記管理情報登録装置は、前記ＩＣカードに記録された作業員の個人情報を前記ＩＣカード管理装置から取得して、該当作業員の非接触ＩＤタグに書き込み、前記作業用機器制御装置は、管理する作業機器の免許情報を前記作業員の非接触ＩＤタグから読み出すと、前記管理する作業機器のキーロック状態を解除する制御を行うことを特徴としている。
【００２６】
請求項７記載の安全管理システムは、管理情報登録装置は、前記ＩＣカードに記録された作業員の個人情報を前記ＩＣカード管理装置から取得して、該当作業員の非接触ＩＤタグに書き込むことにより、ＩＣカードの個人情報を変更されずに非接触ＩＤタグに書き込むことができる。従って、ＩＣカードに書き込まれた情報を利用した作業員の管理システムを提供することができる。例えば、作業用機器制御装置は、管理する作業機器の免許情報を作業員の非接触ＩＤタグから読み出すと、作業機器のキーロック状態を解除することにより、作業員が作業機器に近づくだけで自動的に作業機器を使用状態にすることができる。
【００２７】
請求項８記載の安全管理システムは、請求項７記載の安全管理システムにおいて、前記作業用機器制御装置は、前記作業機器の免許が有効である場合に前記管理する作業機器のキーロック状態を解除する制御を行うことを特徴としている。
【００２８】
請求項８記載の安全管理システムは、非接触ＩＤタグに書き込まれた作業機器の免許が有効なものであるか否かを判断して、作業機器のキーロック状態を解除する。従って、免許の有効期限が切れているものに対しては作業機器のキーロック状態を解除しない。
【００２９】
請求項９記載の安全管理システムは、請求項７記載の安全管理システムにおいて、前記管理情報登録装置は、前記入退場管理装置で発生した処理の記録を前記ＩＣカード管理装置に転送し、前記ＩＣカード管理装置は、転送された処理の記録を登録して管理することを特徴としている。
【００３０】
請求項９記載の安全管理システムでは、作業場への入退場で生じる処理ログ、作業機器の操作などによって生じる処理ログを管理情報登録装置からＩＣカード管理装置に転送して保存することで、管理情報登録装置とＩＣカード管理装置との連携がとれたシステムを提供することができる。すなわち、管理情報登録装置と、ＩＣカード管理装置との両方で作業員の管理を行うことができる。
【００３１】
請求項１０記載の通過管理方法は、入退場管理箇所の通過条件として登録された物品と、該物品を認識するための認証番号とを関連づけして登録する物品管理工程と、前記入退場箇所に取り付けられ、前記物品に取り付けられた非接触ＩＤタグと無線通信を行い、該非接触ＩＤタグのＩＤ番号を検出するＩＤ番号検出工程と、前記ＩＤ番号検出工程により得られたＩＤ番号と、前記物品管理工程により登録した認証番号とを比較する第１の比較工程と、を有することを特徴としている。
【００３２】
請求項１０記載の通過管理方法は、作業員が入退場管理箇所を通過するために必要な物品の認識番号を登録しておき、作業員が入退場管理箇所を通過する際にこの必要な物品を備えているか否かを確認する。作業員が必要な物品を備えていなかった場合には、警告して作業員の注意を促すことにより、安全確保に必要不可欠な物品を作業員に必ず持たせることができる。また、退場の際には、作業現場に不必要なもの、高価なものを放置することがなくなる。
【００３３】
請求項１１記載の通過管理方法は、請求項１０記載の通過管理方法において、作業員の携帯する非接触ＩＤタグのＩＤ番号と、入場時に前記作業員の備えていた物品の非接触ＩＤタグのＩＤ番号とを関連づけて登録する入場時ＩＤ番号登録工程と、前記作業員の退場時に、前記ＩＤ番号検出工程により得られた物品のＩＤ番号と、前記入場時ＩＤ番号登録工程により登録した入場時の物品のＩＤ番号とを比較する第２の比較工程と、を有することを特徴としている。
【００３４】
請求項１１記載の通過管理方法は、入場時に作業員の備えていた物品の非接触ＩＤタグのＩＤ番号と、退場時に作業員の備えている物品の非接触ＩＤタグのＩＤ番号とが一致しないかぎり、作業員の作業場からの退場を拒否する。従って、作業現場に不必要なもの、高価なものを放置することがなくなる。また、作業場内での休憩中に誤って他人の物品、例えば、装備や備品を身に付けてしまった場合に、退場時に物品のチェックを受けることで他人の物品であることに気がつくことができる。他人用に調整された装備や備品は、十分な安全性を確保することができないが、退場の際にチェックされることで、他人の物品との取り違いをなくし、作業員の安全性を確保することができる。
【００３５】
請求項１２記載の通過管理方法は、請求項１０記載の通過管理方法において、作業員の携帯する非接触ＩＤタグのＩＤ番号と、各作業員に割り当てられた物品に付けられた非接触ＩＤタグのＩＤ番号とを関連づけして登録する個人物品管理工程と、前記ＩＤ番号検出工程により検出した、作業員の備える物品に付けられた非接触ＩＤタグのＩＤ番号と、前記個人物品管理工程にて登録した前記作業員の物品の非接触ＩＤタグのＩＤ番号とを比較する第３の比較工程と、を有することを特徴としている。
【００３６】
請求項１２記載の通過管理方法は、作業員に割り当てた物品の非接触ＩＤタグのＩＤ番号を個人物品管理テーブルに登録し、入退場時に作業員の備えている物品が、この作業員のものであるか否かを判定している。従って、作業場への入退場時に物品が自身のものであるか否かを確認することができる。他人用に調整された装備や備品は、十分な安全性を確保することができないが、入退場の際にチェックされることで、他人の物品との取り違いをなくし、作業員の安全性を確保することができる。
【００３７】
請求項１３記載の通過管理方法は、請求項１０記載の通過管理方法において、物品の保守期限情報を、該物品に付けられた非接触ＩＤタグのＩＤ番号に関連づけて登録する保守期限管理工程と、前記ＩＤ番号検出工程により得られたＩＤ番号の物品の保守期限を、前記保守期限管理工程により登録した保守期限情報を参照して判定する第１の判定工程と、を有することを特徴としている。
【００３８】
請求項１３記載の通過管理方法は、物品の保守期限情報を期限管理テーブルに登録し、作業場への入退場時に、作業員の備える物品の保守期限を管理している。保守期限の切れた装備や備品の使用は、作業員に危険がおよぶ可能性があるが、入退場時に、保守、メンテナンスがなされた装備、備品であるか否かを確認することで作業員の安全性を高めることができる。
【００３９】
請求項１４記載の通過管理方法は、請求項１０記載の通過管理方法において、作業員の携帯する非接触ＩＤタグのＩＤ番号と、該作業員の職種情報と、作業内容に応じて必要となる物品を職種毎に登録した職種別物品パターン情報と、該物品を認識するための認証番号とを登録する物品パターン管理工程と、作業員の職種に設定された物品パターンの物品を該作業員が備えているか否かを、前記物品パターン管理工程にて登録した職種別物品パターン情報を参照して判定する第２の判定工程と、を有することを特徴としている。
【００４０】
一日の作業内容に応じて作業員が携行しなければならない装備、備品も変わる。このため、請求項１４記載の発明では、その日の作業内容に応じて作業員に必要な物品のパターンを作業員の職種別に登録しておき、この登録されたパターンに合致する物品を作業員が備えているか否かを確認する。従って、作業形態に合わせた物品を作業員に備えさせることができ、作業員の安全性を高めることができる。
【００４１】
請求項１５記載の通過管理方法は、請求項１０から１４のいずれか１項に記載の通過管理方法において、作業員の前記入退場管理箇所の通過を制限する通過制限工程を有することを特徴としている。
【００４２】
請求項１５記載の通過管理方法は、作業員の入退場管理箇所の通過を制限する通過制限手段を設けている。作業員の安全確保のために必要な物品を備えていなかった場合に、この通過制限手段で入退場管理箇所の通過を制限させることができる。
【発明の効果】
【００４３】
本発明は、作業員が入退場管理箇所を通過するために必要な物品の認識番号を登録しておき、作業員が入退場管理箇所を通過する際にこの必要な物品を備えているか否かを確認する。従って、作業場での作業員の安全性を高めた通過管理システムを提供することができる。
【発明を実施するための最良の形態】
【００４４】
以下、添付図面を参照しながら本発明にかかる最良の形態を説明する。
【実施例１】
【００４５】
まず、図１を参照しながら本実施例の構成を説明する。図１に示されるように本実施例は、管理情報登録装置１０と建設ＩＣカード管理装置２０とがケーブル２によって接続されている。また、管理情報登録装置１０には、複数の入退場検出用スキャナ３０（３１、３２、３３、・・・３ｎ）と、無線コントローラ４０とがケーブル３により接続され、無線コントローラ４０には、無線回線を介してデータの送受信を行う複数の作業機器用スキャナ５０（５１、５２、５３、・・・５ｎ）が接続されている。
【００４６】
また、各作業員、および作業員の身に付ける装備、携行する備品には入退場検出用スキャナ３０、作業機器用スキャナ５０と無線によって通信を行う非接触ＩＤタグ１が付けられている。作業員は身分を証明する身分証明書（例えば、建設ＩＣカード２３）と一緒にヘルメットなどに非接触ＩＤタグ１を装着している。
【００４７】
建設ＩＣカード管理装置２０は、建設ＩＣカード２３の管理を行う装置であり、管理情報登録装置１０からの情報取得要求に従って、管理している情報を管理情報登録装置１０へ転送する。また、管理情報登録装置１０から入場、退場の履歴情報、機器操作、不正入場、不正退場などのログが通知されると、対応する作業員の管理情報を書き換える。
【００４８】
また、建設ＩＣカード管理装置２０は、図１に示されるように建設ＩＣカード２３への情報の書き込み、また、建設ＩＣカード２３からの情報の読み出しを行うＩＣカードリーダライタ２２と、建設ＩＣカード２３に記録された情報の印刷を行うプリンタ２１とを有している。建設ＩＣカード２３には、この建設ＩＣカード２３を所持する作業員の基本情報（作業員に設定されたＩＤ番号、作業員の氏名、発行年月日、性別など）、個人情報（銀行口座番号、作業員の住居、健康状態など）、該当作業員の所持する免許、資格に関する情報と、これらの免許、資格の有効期間、作業現場に入場するための入場者講習を受講しているか否かを示す情報、他の現場経験、作業現場への入退場履歴（入退場時刻）、操作した機械情報などが記録されている。
【００４９】
管理情報登録装置１０は、図２に示すハードディスク装置１６に記録された制御プログラム１５を読み出してメインメモリ１４に格納し、管理情報登録装置１０の中央処理装置１３がこの制御プログラム１５に従って、無線コントローラ４０、入退場検出用スキャナ３０から入力されるデータ、または図５〜図１０に示す管理テーブルに記録されたデータを参照して処理を行い、処理結果を図４〜図１０に示す管理テーブルに記録したり、または表示画面への表示やプリンタ装置１１によるプリンタ出力を行う。
【００５０】
以下、中央処理装置１３が、メインメモリ１４に格納した制御プログラム１５に従って処理を行うことで実現される機能について説明する。図３には、制御プログラムを中央処理装置１３が実行することで実現される機能の一覧が示されている。管理情報登録装置１０は、制御プログラム１５に従った制御を行うことで、図３に示す登録機能１１０、更新機能１２０、帳票機能１３０、自動制御機能１４０の各機能を実現している。
【００５１】
登録機能１１０は、作業員のＩＤ番号や、作業員が身に付ける装備や備品などを登録する機能であり、この登録機能１１０は、作業員登録機能１１１と、装備、備品登録機能１１２と、入場時装備、備品登録機能１１３とからなる。
【００５２】
作業員登録機能１１１は、建設ＩＣカード管理装置２０から建設ＩＣカード２３に記録された情報を読み出し、作業員に取り付けられる非接触ＩＤタグ１と、図５に示すＩＤ番号管理テーブル６０とに記録する機能である。本実施例では、建設ＩＣカード２３から読み出され非接触ＩＤタグ１に書き込まれる情報は、図４に示されるように作業員のＩＤ番号と、免許、資格情報と、これらの有効期間情報と、入場者講習の受講記録であるが、これだけに限定されるものではない。また、ＩＤ番号管理テーブル６０は、図５に示されるように建設ＩＣカード２３から読み出した作業者名、入場者講習受講記録の他に、該当作業員の作業場への入場を許可するか否かを管理する入場許可情報と、作業員の作業場への入場を許可するための通過判定条件とが記録され、管理される。入場許可情報とは、入場のために必要な情報の管理テーブルへの登録がすべて終了すると、管理情報登録装置１０により書き込まれる入場を許可する情報である。また、通過判定条件は、作業員の作業場への入場を許可するか否かを判定する判定条件であり、作業員、および装備、備品に付けられた非接触ＩＤタグから読み取ったＩＤ番号によって判定される。入場許可情報と通過判定条件は、上記のようにシステムごとに設定する他、入退場検出用スキャナ３０毎に設定することも可能である。工区を分けている場合には、他社の作業員が紛れ込まないように管理することができる。
【００５３】
装備、備品登録機能１１２は、作業者の身に付ける装備、携行する備品に付けられた非接触ＩＤタグ１のＩＤ番号を登録用スキャナ１２によって読み取り、図６に示す個人装備、備品管理テーブル６１に登録することで、作業員に割り当てられたＩＤ番号と、この作業員が身に付ける装備、携行する備品との関連付けを行う機能である。また、装備、備品が保守、点検の必要なものであった場合に、保守期限日を設定して期限管理を行う機能である。保守期限日の設定は、図５に示すＩＤ番号管理テーブル６０に登録される。図５示すようにＩＤ番号管理テーブル６０は、非接触ＩＤタグ１のＩＤ番号と、この非接触ＩＤタグ１を取り付けた装備、備品の情報と、保守、点検が必要な装備、備品であった場合に設定される保守期限情報とを登録して管理する。
【００５４】
入場時装備、備品登録機能１１３は、入場時に作業員が身に付けなければならない職種別の装備、備品と、この装備、備品を識別するためのＩＤ番号とを登録する機能である。この機能により作成された管理テーブルが図７に示す職種別装備、備品管理テーブル６２である。図７に示す職種別装備、備品管理テーブル６２では、通常時に作業員が身に付けなければならない装備、携行しなければならない備品を規定した標準パターンと、作業内容に応じて追加して持たなければならない装備、備品を規定した特殊装備パターンとが職種毎に記録されている。この標準パターン、特殊パターンとして登録された装備、備品を認識するための認識ＩＤ番号が職種別装備、備品管理テーブル６２には登録されている。
【００５５】
更新機能１２０は、遺失物登録機能１２１、入場パターン、カレンダー登録機能１２２と、入場者講習受講記録登録機能１２３と、装備、備品保守期限管理機能１２４と、建設ＩＣカード管理装置との同期機能１２５とからなる。
【００５６】
遺失物登録機能１２１は、備品、装備を紛失した時に、紛失した装備、備品のＩＤ番号を登録し、この装備、備品を携行して作業現場への入退場を禁止する機能である。この遺失物登録機能１２１により作成される管理テーブルが図８に示す入場制限情報管理テーブル６３である。入場制限情報管理テーブル６３では、紛失した装備、備品のＩＤ番号と、紛失した日付と、この装備、備品を携行して作業場へ入場した場合に、作業場への入場を禁止する禁止情報とが記録されている。入場パターン、カレンダー登録機能１２２は、作業工程に応じて作業員の入場パターンを登録する機能である。この入場パターン、カレンダー登録機能１２２により登録された管理テーブルが、図９に示す作業予定カレンダー６４である。作業工程に応じた入場パターンとは、工事の内容に合わせて、携行する装備、備品を作業員の職種毎に規定したものである。例えば、本日は３Ｆの塗装工事を行うので、塗装工事に従事する作業員は、定められた標準パターンではなく、防塵マスク、メガネなどを追加した特殊装備パターンで入場するようにといった規定がなされている。この入場パターンの情報は後述する入退場検出用スキャナ３０と、作業機器用スキャナ５０とに予め送信される。
【００５７】
入場者講習受講記録登録機能１２３は、入場者に対する講習の受講記録を登録する機能である。講習を受けたか受けなかったかの記録を図５に示すＩＤ番号管理テーブル６０に記録する。講習を受けていないものは入場が拒否される。なお、この入場者講習受講記録は、建設ＩＣカード２３から読み込んだものをＩＤ番号管理テーブル６０に登録してもよいし、新たに講習を受けた場合には、管理情報登録装置１０から受講記録を受講済みに書き換え、建設ＩＣカード管理装置２０に変更の記録を転送して建設ＩＣカードの記録内容を書き換えてもよい。
【００５８】
装備、備品保守期限管理機能１２４は、保守、点検を行った装備、備品の保守期限を書き換える機能である（次回非接触ＩＤタグ１にアクセスした際に更新を行う）。装備、備品の保守期限を管理するＩＤ番号管理テーブル６０の該当欄を書き換える機能である。
【００５９】
建設ＩＣカード管理装置２０との同期機能１２５は、建設ＩＣカード管理装置２０と同期を取る必要が生じた場合にマニュアルで同期処理を行う機能である。
【００６０】
帳票機能１３０は、図５〜図９に示す管理テーブルを参照して管理者から入力された入力条件にあったデータを抽出して、印刷出力する機能であり、点検予定リスト印刷機能１３１と、処理結果リスト印刷機能１３２とからなる。
【００６１】
点検予定リスト印刷機能１３１は、入場時にチェックした装備、備品のうち保守期限が近いものを検出してリストを作成し、印刷出力する。
【００６２】
処理結果リスト印刷機能１３２は、入退場、各種警告などの処理メッセージを条件によって整理されたリストとして印刷する機能である。
【００６３】
自動制御機能１４０は、管理者からの操作入力なしに自動的に処理を行う機能であり、処理ログの収集機能１４１と、入退場情報の通知機能１４２と、通過判定条件の更新機能１４３と、操作許可情報の更新機能１４４とを備えている。
【００６４】
処理ログの収集機能１４１は、入退場検出用スキャナ３０、作業機器用スキャナ５０で処理された処理ログを収集する。収集した処理ログは図１０に示す入退場情報管理テーブル６５に登録する。なお、この入退場情報管理テーブル６５と同様の管理テーブルは複数の入退場検出用スキャナ３０にも設けられており、入退場時の作業員の身に付けた装備、携行している備品のＩＤ番号を管理している。
【００６５】
入退場情報の通知機能１４２は、入退場検出用スキャナ３０で検出された入退場の記録をリアルタイムに建設ＩＣカード管理装置２０に通知する機能である。
【００６６】
通過判定条件の更新機能１４３は、通過判定条件がオペレータまたはカレンダーによって更新された時に、入退場検出用スキャナ３０へ通過判定条件の更新を通知する機能である。なお、通過判定条件とは、作業場への入退場時に、どの程度まで装備、備品を判定するのかを規定したパターンである。
【００６７】
操作許可情報の更新機能１４４は、操作許可情報がオペレーションにより変更されたとき、作業機器用スキャナ５０に変更された操作許可情報を送信する機能である。なお、操作許可情報とは、作業用機器の操作を許可する条件が設定された情報である。
【００６８】
なお、図５〜図９に示された管理テーブルは、入退場検出用スキャナ３０、作業機器用５０に送信され、作業員の作業場への入場を許可するか否かを判断する材料となる。
【００６９】
次に、図１１を参照しながら入退場検出用スキャナ３０について説明する。
入退場検出用スキャナ３０は、作業員や装備、備品に付けられた複数の非接触ＩＤタグ１を検出するため、図１１に示されるように複数枚のアンテナ３１０を備えており、作業員の全身をカバーする読み取り範囲を有している。なお、アンテナ３１０の枚数は自由に変更可能である。また、入退場検出用スキャナ３０は、図１１に示されるように複数のアンテナ３１０（３１１〜３１ｎ）を駆動し、作業員や装備、備品に付けられた非接触ＩＤタグ１とデータの送受信を行うアンテナ駆動部３０２と、アンテナ駆動部３０２の制御と、アンテナ３１０により読み取った情報を管理情報登録装置１０に送信したり、読み取った情報により入場制限装置３０３、退場制限装置３０４を用いて、作業員の入退場を制限する制御を行う制御部３０１とを有している。
【００７０】
制御部３０１は、作業員の作業場への入退場を許可するか否かを判定する機能部である。作業員のＩＤ番号と、作業員の身に付けた装備のＩＤ番号、携行する備品のＩＤ番号とを検出すると、図５〜図９に示す管理テーブルを参照して作業場への入場を許可するか否かを判定する。
【００７１】
判定する項目には、以下に示すものがある。入場が許可されている作業者であるか否か、作業員が身に付けなければならない装備、備品をすべて身に付けているか否か、身に付けた装備、備品の所有者が該当作業者になっているか否か、身に付けた装備、備品の保守期限が過ぎているものはないか、または保守期限が迫っているものはないか、などである。保守期限が過ぎている場合には入場制限装置３０３により警告を発する。また、保守期限が迫っている場合には、装備点検予定情報として記録する。また、退場時には、入場した時と同じ装備を身に付けているか、備品を携帯しているか否かが確認される。
【００７２】
作業機器用スキャナ５０は、図１２に示されるように１枚のアンテナ５０３を有している。このアンテナ５０３は、作業員に付けられた非接触ＩＤタグ１とだけ無線通信を行う指向性を有している。作業機器用スキャナ５０は、アンテナ５０３の駆動制御を行うアンテナ駆動部５０２と、管理情報登録装置１０と無線コントローラ４０を介した無線通信を行い、読み取ったデータを管理情報登録装置１０へ送信、または管理情報登録装置１０からの設定情報を受信する制御部５０１と、制御部５０１の制御により作業機器の操作キーを解除、またはロックする作業機器キーロック部５０４とを有している。制御部５０１は、アンテナ５０３を駆動して作業員に付けられた非接触ＩＤタグ１のＩＤ番号を検出することで個人を特定し、特定した作業員が作業資格保有者であった場合には、作業用機械のキーロックを解除する。
【００７３】
次に、上記構成を有する本実施例の動作手順を説明する。
まず、管理情報登録装置１０は、登録用スキャナ１２により作業員に付けられた非接触ＩＤタグ１のＩＤ番号を読み出す。次に、建設ＩＣカード管理装置２０にアクセスし、読み出したＩＤ番号を検索キーとして該当作業員に関する情報を読み出す。読み出した情報から該当作業員の所持する免許、資格情報と、この免許、資格の有効期限と、入場者講習の受講記録を非接触ＩＤタグ１に書き込む（図４参照）。また、これらの情報は図５に示すＩＤ番号管理テーブル６０にも登録される。
【００７４】
次に、作業員が身に付ける装備、備品を選択し、選択した装備、備品に付けられた非接触ＩＤタグ１のＩＤ番号を登録用スキャナ１２により読み込む。この際、作業員の職種毎に最低限身に付けなければならない装備、備品が図７に示す職種別装備、備品管理テーブル６２に登録されており、この職種別装備、備品管理テーブル６２を管理情報登録装置１０の表示画面に表示させながら身に付ける装備、備品の確認を行うとよい。
【００７５】
次に、選択した装備、備品に付けられた非接触ＩＤタグ１のＩＤ番号を登録用スキャナ１２により読み取り、図６に示す個人装備、備品管理テーブル６１に登録する。図６に示すようにこの個人装備、備品管理テーブル６１では各作業員の氏名、ＩＤ番号、職種、身に付ける装備、備品に付けられた非接触ＩＤタグ１のＩＤ番号が登録されている。
【００７６】
また、作業員の選択した装備、備品の中で、保守、点検の必要なものは保守期限を設定して管理する。図５に示すＩＤ番号管理テーブル６０の装備、備品用のＩＤ番号の管理欄には、保守、点検が必要な備品に保守期限日が設定されている。
【００７７】
次に、作業者毎に、入退場時の通過判定パターンを登録する。通過判定パターンとは、作業場への入退場時に、どの程度まで装備、備品を判定するのかを規定したパターンである。例えば、作業員のＩＤ番号だけの照合、作業員のＩＤ番号と身に付けた装備、備品のＩＤ番号を照合（入退場時に同じ種類の装備、備品を持っているか）、作業員のＩＤ番号と身に付けた装備、備品の所有者を含めた照合（入退場時に同じ装備、備品を持っており、これらの所有者が該当作業員になっているかまで照合）などが挙げられる。この通過判定パターンは入退場検出用スキャナ３０と作業機器用スキャナ５０とに送信されている。
【００７８】
以上の工程により非接触ＩＤタグ１の登録作業が終了する。次に、登録した非接触ＩＤタグ１による作業場への入退場管理の手順を説明する。
まず、図９に示す作業予定カレンダー６４には、作業工程に合わせた作業員の入場パターンが職種毎に登録されている。作業工程に合わせた入場パターンとは、工事の内容に合わせて、作業員の携行する装備、備品を職種毎に規定したパターンである。例えば、本日は３Ｆの塗装工事を行うので、塗装工事に従事する作業員は、定められた標準パターンではなく、防塵マスク、メガネなどを追加した特殊装備パターンで入場するようにといった規定がなされている。この入場パターンと通過判定パターンの情報は、入退場検出用スキャナ３０と、作業機器用スキャナ５０とに予め送信されている。
【００７９】
次に、図１３に示されたフローチャートを参照しながら作業場への入場時の手順を説明する。
まず、作業者は入退場検出用スキャナ３０のアンテナ３１０の前に立ち、非接触ＩＤタグ１のＩＤ番号をアンテナ３１０により読み込ませる（ステップＳ１）。このアンテナ３１０は、作業員に付けられたＩＤ番号の他に、作業員の装着した装備、携行する備品に付けられた非接触ＩＤタグ１のＩＤ番号も検出する。
【００８０】
次に、入退場検出用スキャナ３０は、作業員個人を認識するＩＤ番号（作業員に付けられた非接触ＩＤタグ１のＩＤ番号）を所有しているか否かを確認する（ステップ２）。ＩＤ番号を所有していない場合には（ステップＳ２／ＮＯ）、非接触ＩＤタグ１なしの不正入場であると判断し、不正警報を鳴らして該当作業者の入場を拒否する（ステップＳ３）。非接触ＩＤタグ１なしの不正入場のログは管理情報登録装置１０に通知され、記録される（ステップＳ４）。
【００８１】
次に、図８に示す入場制限情報管理テーブル６３を参照して、紛失により入場が拒否されているＩＤ番号（非接触ＩＤタグ）であるか否かを判定する（ステップＳ５）。入場制限情報管理テーブル６３に、紛失物として入場禁止登録された非接触ＩＤタグ１が付けられた装備、備品を携行していた場合には（ステップＳ５／ＹＥＳ）、遺失物入場の不正警報を鳴らして該当作業者の入場を拒否する（ステップＳ６）。遺失物入場の不正ログは管理情報登録装置１０に通知され、記録される（ステップＳ７）。
【００８２】
次に、図５に示すＩＤ番号管理テーブル６０の入場者講習受講記録を参照して、作業者が入場者講習を受講しているか否かを判定する（ステップＳ８）。入場者講習を受講していなかった場合には（ステップＳ８／ＮＯ）、入場者講習未受講の不正警報を鳴らして該当作業員の入場を拒否する（ステップＳ９）。また、入場者講習未受講の不正ログは管理情報登録装置１０に通知され、記録される（ステップＳ１０）。
【００８３】
次に、図５のＩＤ番号管理テーブル６０、図６の個人装備、備品管理テーブル６１、図７の職種別装備、備品管理テーブル６２、図９の作業予定カレンダー６４を参照しながら作業員に設定された通過判定条件を満たす装備、備品が備えられているか否かを判定する（ステップＳ１１）。
【００８４】
まず、入退場検出用スキャナ３０の制御部３０１は、図５に示すＩＤ番号管理テーブル６０に登録された通過判定条件を参照する。本実施例の通過判定条件には３通りの判定パターンがある。第１の判定条件は、図５に示すＩＤ番号管理テーブル６０の入場許可情報により入場が許可されていればそのまま通過を許可するものである。第２の判定パターンは、図９に示す作業予定カレンダー６４に登録された職種別入場パターンと、図７に示す職種別装備、備品管理テーブル６２とを参照し、作業員の職種に設定された入場パターンを満たす装備、備品が検出できれば通過を許可するものである。第３の判定パターンは、図９に示す作業予定カレンダー６４に登録された職種別入場パターンと、図７に示す職種別装備、備品管理テーブル６２と、図６に示す個人装備、備品管理テーブル６１とを参照して、作業員の職種に設定された入場パターンを満たす装備、備品が検出でき、これの装備、備品が該当作業員に割り当てられたものであれば通過を許可するものである。なお、入場許可情報とは、図５、６に示す管理テーブルに作業者の情報の登録が終了すると、管理情報登録装置１０により書き込まれる情報であり、情報の登録手順が完了したことを示す。
【００８５】
入退場検出用スキャナ３０の制御部３０１は、作業員のＩＤ番号から該当作業員に設定された通過判定条件をＩＤ番号管理テーブル６０を参照して検出し、この判定条件に従って通過判定を行う（ステップＳ１１）。
【００８６】
通過判定条件に従った判定により、不正な装備、備品を備えていた場合、逆に携行しなければならない装備、備品を携帯していなかった場合、および設定された所有者が異なる装備、備品を携行していた場合には（ステップＳ１２／ＹＥＳ）、装備、備品不正、または所有者不正の警報を鳴らして該当作業員の入場を拒否する（ステップＳ１３）。また装備、備品不正、または所有者不正のログは管理情報登録装置１０に通知され、記録される（ステップＳ１４）。
【００８７】
また、通過判定条件に従った判定により、適正な装備、備品を備えていると判定された場合には（ステップＳ１２／ＮＯ）、入退場検出用スキャナ３０により検出したＩＤ番号の情報（入場時に所持していた装備、備品情報）を管理情報登録装置１０に通知し、図１０に示す入退場情報管理テーブル６５に登録する（ステップＳ１５）。入退場検出用スキャナ３０にも入場時に作業者が備えていた装備、備品のＩＤ番号に関する情報は保存される。
【００８８】
次に、入退場検出用スキャナ３０の制御部３０１は、検出した装備、備品のＩＤ番号から、該当する装備、備品の保守期限日が超過しているか否かを判定する。保守期限日を超過していた場合には（ステップＳ１６／ＹＥＳ）、保守期限超過の警報を鳴らして、該当作業員の入場を拒否する（ステップＳ１７）。また、保守期限超過の不正ログは管理情報登録装置１０に通知され、記録される（ステップＳ１８）。
【００８９】
また、保守期限日間近の装備、備品を検出した場合には（ステップＳ１９／ＹＥＳ）、この装備、備品のＩＤ番号を管理情報登録装置１０に送信し、装備点検予定リストに登録する（ステップＳ２０）。この装備点検予定リストは、プリンタ１１によって印刷される。
【００９０】
以上のチェック項目を通過した場合に作業員の備える装備、備品は正しいものであると判定して入場制限装置３０３を開錠して作業場への入場を許可し（ステップＳ２１）、入場ログを管理情報登録装置１０に送信して記録する。なお、入退場検出用スキャナ３０から管理情報登録装置１０に転送されたログは、予め決められた期間毎に建設ＩＣカード管理装置２０に転送され、管理される。
【００９１】
次に、図１４に示されたフローチャートを参照しながら、作業場からの退場時の手順を説明する。
まず、作業者は入退場検出用スキャナ３０のアンテナ３１０の前に立ち、非接触ＩＤタグ１のＩＤ番号をアンテナ３１０により読み込ませる（ステップＳ３１）。このアンテナ３１０は、作業員に割り当てられたＩＤ番号の他に、作業員の装着した装備、携行する備品に付けられた非接触ＩＤタグ１のＩＤ番号も検出する。
【００９２】
次に、入退場検出用スキャナ３０は、作業員個人を認識するＩＤ番号（作業員に割り当てられた非接触ＩＤタグ１のＩＤ番号）を所有しているか否かを確認する（ステップ３２）。ＩＤ番号を所有していない場合には（ステップＳ３２／ＮＯ）、非接触ＩＤタグ１なしの不正退場であると判断し、不正警報を鳴らして該当作業者の退場を拒否する（ステップＳ３３）。非接触ＩＤタグ１なしの不正退場のログは管理情報登録装置１０に通知され、記録される（ステップＳ３４）。
【００９３】
次に、入退場検出用スキャナ３０の制御部３０１は、検出した非接触ＩＤタグ１のＩＤ番号と、入場時に携行した装備、備品のＩＤ番号とを比較する（ステップＳ３５）。退場時に検出した装備、備品のＩＤ番号と、入場時に携行した装備、備品のＩＤ番号とが一致しなかった場合には（ステップＳ３６／ＮＯ）、所持品不正の警報を鳴らして該当作業者の退場を拒否する（ステップＳ３７）。所持品不正のログは管理情報登録装置１０に通知され、記録される（ステップＳ３８）。
【００９４】
退場時に検出した装備、備品のＩＤ番号と、入場時に携行した装備、備品のＩＤ番号とが一致した場合には（ステップＳ３６／ＹＥＳ）、退場制限装置３０４を開錠して作業場からの退場を許可し（ステップＳ４０）、退場ログを管理情報登録装置１０に送信して記録する。なお、入退場検出用スキャナ３０から管理情報登録装置１０に転送されたログは、予め決められた期間毎に建設ＩＣカード管理装置２０に転送され、管理される。
【００９５】
次に、図１５に示されるフローチャートを参照しながら作業機器に近づく作業員を検出して、この作業員が免許、資格を有する作業員であった場合に、作業機器のキーロックを自動で解除する手順を説明する。
まず、作業機器に近づく作業員の非接触ＩＤタグを、この作業機器の近傍に設けたアンテナ５０３により検出すると（作業員の非接触ＩＤタグと通信可能な状態になると）、作業機器用スキャナ５０の制御部５０１は非接触ＩＤタグの記録情報を読み込む（ステップＳ４１）。
【００９６】
作業機器用スキャナ５０の制御部５０１は、読み込んだ記録情報からこの作業員が、該当作業機器の免許を有する者であるか否か（ステップＳ４２）、また、この免許の有効期限が期限内であるか否か（ステップＳ４５）を判定する。作業員が免許を有していない場合には（ステップＳ４２／ＮＯ）、免許なしの不正警報を鳴らし、免許なしの不正ログを管理情報登録装置１０に通知する。この不正ログは、管理情報登録装置１０に記録され、予め定められた時間毎に建設ＩＣカード管理装置２０に通知される（ステップＳ４４）。また、免許を所持していても、免許の有効期限が切れていた場合にも同様な処理が行われる（ステップＳ４６、４７）。この場合、作業機器のキーは作業機器キーロック部５０４によりロックされたままとなる（ステップＳ５０）
【００９７】
また、適正な免許の所有者であった場合には（ステップＳ４２／ＹＥＳ、かつステップＳ４５／ＹＥＳ）、作業機器キーロック部５０４により作業機器のキーロックが解除され操作可能状態となる（ステップＳ４９）。また、キーロック解除時間、キーロック時間、操作作業員のＩＤ番号などのログが取られ、管理情報登録装置１０に通知される。この処理ログは、管理情報登録装置１０に記録され、予め定められた時間毎に建設ＩＣカード管理装置２０に通知される。
【００９８】
このように本実施例は、非接触ＩＤタグ１を利用して作業員の入退場、作業員の備える装備、携行する備品を管理することにより、作業現場での土砂や油などの外的要因でカード情報が読み取れなく不具合を防止している。接触型のＩＣカードは土砂や油によりＩＣカードに書き込まれた情報が読み取れなくなる可能性が非常に高い。接触型のＩＣカードが故障した場合には、個人レベルでの対応でＩＣカードを再発行すればよいが、カードリーダが土砂、油により故障すると入退場の管理システム自体を修理する可能性もあり、修理が済むまで使用できない状態となる。
【００９９】
また、建設ＩＣカード２３の記録内容を管理情報登録装置１０により非接触ＩＤタグ１に書き込むことで、建設ＩＣカードの記録内容を利用した作業員の管理を行うことができる。また、建設ＩＣカードの記録内容が管理情報登録装置１０により自動的に非接触ＩＤタグ１に書き込まれるので、建設ＩＣカードの記録内容が改ざんされて利用されるなどの問題の発生を防止することができる。
【０１００】
また、作業場への入退場で生じる処理ログ、作業機器の操作などによって生じる処理ログを管理情報登録装置１０から建設ＩＣカード２３に書き込むことで、管理情報登録装置１０と建設ＩＣカード管理装置２０との連携がとれたシステムを提供することができる。すなわち、管理情報登録装置１０と、建設ＩＣカード管理装置２０との両方で作業員の管理を行うことができる。
【０１０１】
また、入退場検出用スキャナ３０に、非接触ＩＤタグを同時に複数検出可能なアンテナ３１１を設け、入場に必要な装備、備品に非接触ＩＤタグを取り付けることで、必要な装備、備品を所持しているか否かをチェックすることができる。
【０１０２】
また、ＩＣカード１つで作業員の入退場を管理していると、例えばこのＩＣカードを付けたヘルメットを紛失してしまうと、ヘルメットの紛失に気がつき、入場禁止の措置を取るまでだれでも入場可能となってしまう。このため、複数の装備、備品に非接触ＩＤタグ１を取り付けて作業員の入退場を管理することにより、紛失物を利用した不審者の入場を困難にさせることができる。
【０１０３】
また、作業工程に応じて必要となる装備、備品を職種毎に登録し、登録された装備、備品を所持していない作業者に対しては警告を行うことにより、作業員に作業内容に合わせた装備、備品を携帯させることができる。
【０１０４】
また、作業員の身に付ける装備や備品は、雇い主毎に同じ業者のものが使用される場合が多く、一見しただけでは自分のものだとわからない場合が多い。他人用に調整された装備や備品を使用していると、当然のことながら十分な安全性を確保することはできない。
【０１０５】
そこで、作業員に割り当てられた装備、備品に非接触ＩＤタグ１を貼り付け、この非接触ＩＤタグ１のＩＤ番号を図６に示す個人装備、備品管理テーブル６１に登録して管理する。従って、入退場検出用スキャナ３０により作業員の非接触ＩＤタグのＩＤ番号を検出することで、作業員の身に付けている装備、備品が確かにこの作業員のものであるか否かを判定することができる。
【０１０６】
また、作業現場への忘れ物は作業員全員が作業現場から戻った後でないとわからなかったが、入場時に身に付けていた装備、携行していた備品のＩＤ番号を登録しておき、退場時に、入場時に持ってきたすべての装備、備品を持っているか否かを確認することで、作業現場に不必要なもの、高価なものを放置することがなくなる。
【０１０７】
また、作業員が備える装備、備品の保守期限の管理は、雇い主からの管理情報により作業員自身が確認作業を行わなければならなかったが、保守期限のある装備、備品を管理テーブルに登録しておき、期限日の過ぎたものは警告し、また、期限日の近いものは点検予定リストに登録して点検を促すことで、複数の業者を下請けとして使う場合でも、工事現場の監督者が点検予定リストによって装備、備品の管理が行え、作業員の安全性をさらに高めることができる。同様に免許の有効期限を管理することも可能である。
【０１０８】
また、作業現場に入場する際には、現場での注意事項などを聞いておく必要がある。入場者講習を受けたか否かの受講記録を非接触ＩＤタグ１、または管理テーブルに登録し、受講していない作業員は現場内に入場させないようにすることで、作業員の安全性を高めることができる。
【実施例２】
【０１０９】
添付図面を参照しながら第２の実施例について説明する。
本実施例は、図１６に示すように管理情報登録装置１０と建設ＩＣカード管理装置２０とを１つにまとめ、管理情報登録装置１０に建設ＩＣカード管理装置２０の機能を持たせたものである。従って、管理情報登録装置１０には図１７に示されるように建設ＩＣカードに記録された情報を管理する建設ＩＣカード情報管理テーブルが設けられている。
【０１１０】
このように管理情報登録装置１０と建設ＩＣカード管理装置２０とを一つにまとめることで、非接触ＩＤタグ１と建設ＩＣカード２３を管理する管理装置を別々に用意することがない。
【０１１１】
なお、上述した実施例は本発明の好適な実施例である。但し、これに限定されるものではなく、本発明の要旨を逸脱しない範囲内において種々変形実施可能である。
【図面の簡単な説明】
【０１１２】
【図１】本発明の第１の実施例の構成を示すブロック図である。
【図２】管理情報登録装置の構成を示すブロック図である。
【図３】中央処理装置１３がメインメモリ１４に格納された制御プログラムに１５に従って処理を行うことで実現される機能を示す図である。
【図４】建設ＩＣカードから非接触ＩＤタグに書き込まれる情報を示す図である。
【図５】ＩＤ番号管理テーブルの構成を示す図である。
【図６】個人装備、備品管理テーブルの構成を示す図である。
【図７】職種別装備、備品管理テーブルの構成を示す図である。
【図８】入場制限情報管理テーブルの構成を示す図である。
【図９】作業予定カレンダーの構成を示す図である。
【図１０】入退場情報管理テーブルの構成を示す図である。
【図１１】入退場検出用スキャナ３０の構成を示すである。
【図１２】作業機器用スキャナ５０の構成を示す図である。
【図１３】入場処理の手順を示すフローチャートである。
【図１４】退場処理の手順を示すフローチャートである。
【図１５】作業機器キーロック解除の手順を示すフローチャートである。
【図１６】本発明の第２の実施例の構成を示すブロック図である。
【図１７】建設ＩＣカード情報管理テーブルの構成を示す図である。
【符号の説明】
【０１１３】
１  非接触ＩＤタグ                ２、３  ケーブル
１０  管理情報登録装置              １１  プリンタ
１２  登録用スキャナ              １３  中央処理装置
１４  メインメモリ                １５  制御プログラム
１６  ハードディスク              １７  入力装置
１８  出力装置                    ２０  建設ＩＣカード管理装置
２１  プリンタ                    ２２  ＩＣカードリーダライタ
２３  建設ＩＣカード
３０、３１、３２・・・３ｎ  入退場検出用スキャナ
４０  無線コントローラ
５０、５１、５２・・・５ｎ  作業機器用スキャナ
６０  ＩＤ番号管理テーブル        ６１  個人装備、備品管理テーブル
６２職種別装備、備品管理テーブル  ６３  入場制限情報管理テーブル
６４  作業予定カレンダー          ６５  入退場情報管理テーブル
【図１】
2005078222.tif 000003
【図２】
2005078222.tif 000004
【図３】
2005078222.tif 000005
【図４】
2005078222.tif 000006
【図５】
2005078222.tif 000007
【図６】
2005078222.tif 000008
【図７】
2005078222.tif 000009
【図８】
2005078222.tif 000010
【図９】
2005078222.tif 000011
【図１０】
2005078222.tif 000012
【図１１】
2005078222.tif 000013
【図１２】
2005078222.tif 000014
【図１３】
2005078222.tif 000015
【図１４】
2005078222.tif 000016
【図１５】
2005078222.tif 000017
【図１６】
2005078222.tif 000018
【図１７】
2005078222.tif 000019